(57)【特許請求の範囲】
【請求項１】
モバイル通信デバイスおよびセキュアトランザクションサーバーと対話し、それらと併用するためのセキュアトランザクション装置であって、前記モバイル通信デバイスの使用によってサービスプロバイダーとのトランザクションを開始し、その後、前記セキュアトランザクション装置を用いて、前記モバイル通信デバイスを介して前記セキュアトランザクションサーバーと通信して前記トランザクションを完了することが可能であり、前記セキュアトランザクション装置は、
ａ）セキュア無線通信プロトコルを介して、暗号モジュールを用いて前記セキュアトランザクションサーバーとの間でデータの送受信が可能であり、
ｂ）スクリーンエレメントを介して前記セキュアトランザクション装置のユーザーに対して現行のトランザクションに関する詳細なデータを表示することで、前記ユーザーが前記セキュアトランザクションサーバーからのセキュアトランザクション情報を受信可能なようにすることができ、前記スクリーンエレメントは、前記モバイル通信デバイスによって提供されず、
ｃ）安全で信頼できるトランザクションを行うことができるように、セキュア応答を承認し、入力し、前記セキュアトランザクションサーバーに送信するための手段を含み、前記入力するための手段は、前記モバイル通信デバイスによって提供されず、
ｄ）前記セキュアトランザクションサーバーとやりとりして前記サービスプロバイダーのボナファイドを確認すし、
ｅ）前記セキュアトランザクション装置と前記リモートセキュアトランザクションサーバーとの間での安全で暗号化された通信のための前記手段を提供する少なくとも１つの物理的かつ論理的に安全な暗号モジュールを含む、セキュアトランザクション装置。
【請求項２】
前記セキュアトランザクション装置、前記モバイル通信デバイス、前記セキュアトランザクションサーバー間の前記対話は、前記モバイル通信デバイスにインストールされるか、前記モバイル通信デバイスのオペレーティングシステムソフトウェアにその機能として含まれるソフトウェアアプリケーションによって制御される、請求項１に記載のセキュアトランザクション装置。
【請求項３】
前記モバイル通信デバイスは、モバイルフォン、ポータブルコンピューターまたはタブレット端末である、請求項１に記載のセキュアトランザクション装置。
【請求項４】
前記スクリーンエレメントは、前記セキュアトランザクション装置のユーザーが、前記スクリーンエレメント上での直接的なタッチ入力によって前記トランザクションを完了できるようにするタッチスクリーンである、請求項３に記載のセキュアトランザクション装置。
【請求項５】
前記スクリーンエレメントは、タッチ式ではないスクリーンであり、別のセキュアキーパッドが設けられて、それによって前記セキュアトランザクション装置のユーザーが前記キーパッドでの直接入力で前記トランザクションを完了できるようになっている、請求項３に記載のセキュアトランザクション装置。
【請求項６】
前記セキュアトランザクション装置の少なくとも一部は、前記モバイル通信デバイスに取り付け可能である、請求項４または５に記載のセキュアトランザクション装置。
【請求項７】
前記セキュアトランザクション装置およびその付属のソフトウェアアプリケーションは、前記モバイル通信デバイスの製造時に、前記モバイル通信デバイスハードウェアおよびその付属のシステムソフトウェアに、それぞれ直接組み込まれる、請求項４または５に記載のセキュアトランザクション装置。
【請求項８】
前記セキュアトランザクション装置の前記少なくとも一部は、前記モバイル通信デバイスの前記後部に着脱自在に取り付け可能である、請求項６に記載のセキュアトランザクション装置。
【請求項９】
前記セキュアトランザクション装置の前記少なくとも一部は、前記モバイル通信デバイスの本来の後部カバーを代用している、請求項８に記載のセキュアトランザクション装置。
【請求項１０】
前記モバイル通信デバイスと一緒に提供される前記本来のバッテリーが前記セキュアトランザクション装置にも前記必要な電力を供給できるように、前記セキュアトランザクション装置の前記少なくとも一部が前記モバイル通信デバイスのバッテリーと相互に係合するための手段を含む、請求項９に記載のセキュアトランザクション装置。
【請求項１１】
前記モバイル通信デバイスと一緒に提供される前記本来のバッテリーと交換できる予備のバッテリーが用意されており、前記予備のバッテリーは、前記モバイル通信デバイスに必要な電力を供給でき、前記予備のバッテリーは、前記セキュアトランザクション装置の前記少なくとも一部と相互に係合して、さらに前記セキュアトランザクション装置にも必要な電力を供給するための追加の電源コネクターを含む、請求項１０に記載のセキュアトランザクション装置。
【請求項１２】
前記セキュアトランザクション装置の前記少なくとも一部は後部であり、前記セキュアトランザクション装置は、前記後部とヒンジ接続された前部を含み、前記セキュアトランザクション装置が前記モバイル通信デバイスに接続されると、前記ヒンジが前記モバイル通信デバイスの片側に位置し、前記ヒンジを軸に前記前部を折り曲げられることで、前記セキュアトランザクション装置および前記モバイル通信デバイスを使用していないときに前記前部を前記モバイル通信デバイスの前記前側と実質的に重ねることができる、請求項１０または１１に記載のセキュアトランザクション装置。
【請求項１３】
前記トランザクションは、安全な承認を含む、請求項１〜１２のいずれか一に記載のセキュアトランザクション装置。
【請求項１４】
請求項１〜１３のいずれか一に記載のセキュアトランザクション装置を用いて、モバイル通信デバイスを介してセキュアトランザクションを行う方法であって、
ａ）ユーザーが、自分のモバイル通信デバイスでワールドワイドウェブをブラウズし、前記ユーザーがセキュアトランザクションを開始したい商品および／またはサービスを提供しているウェブサイトの場所を探し出し、
ｂ）次に、前記ユーザーが、ブラウザを用いて前記ウェブサイトと対話して前記セキュアトランザクションの準備をし、
ｃ）前記トランザクションが情報の安全なやり取りを始める必要のある段階になったら、商人またはサービスプロバイダーが、トランザクション開始ファイルを前記モバイル通信デバイスに直接送信するか、前記トランザクション開始ファイルを前記モバイル通信デバイスに送信するようセキュアトランザクションサーバーに促した後、前記セキュアトランザクションサーバーが、前記モバイル通信デバイスとコンタクトをとり、
ｄ）前記モバイル通信デバイスとコンタクトがとれたら、前記モバイル通信デバイスにインストールされているアプリケーションが開始され、その後、前記アプリケーションが、前記セキュアトランザクション装置を起動して、前記トランザクションの残りの工程を前記セキュアトランザクション装置に引き継ぎ、
ｅ）次に、商人との対話の場合、前記セキュアトランザクション装置が前記セキュアトランザクションサーバーに照会して、前記商人のボナファイドと支払いトランザクションの詳細を決定し、
ｆ）前記商人の前記ボナファイドが、前記セキュアトランザクションサーバーによって確認されたら、前記セキュアトランザクション装置が、前記トランザクションに関する前記詳細をスクリーンエレメントに表示させ、次に前記ユーザーが、前記スクリーンエレメントおよびその付属のキーパッドがある場合はそれも用いて直接対話することで、自分のトランザクションを完了するよう促され、
ｇ）次に、前記ユーザーが、前記トランザクションを確認するよう促され、
ｈ）次に、前記セキュアトランザクション装置が、前記ユーザーによって前記セキュアトランザクション装置に安全に事前に保存されていてもよい、利用できるすべての支払いの種類を受信し、次に前記セキュアトランザクション装置が前記ユーザーに支払いの種類のメニューリストを与えるか、あるいは前記ユーザーは、保存していない支払い方法を使う選択肢を提示され、
ｉ）次に、前記セキュアトランザクション装置が、支払いの種類を選択するためのプロンプトを前記ユーザーに送信し、
ｊ）次に、前記支払いの種類が選択されたら、前記セキュアトランザクション装置が次に、前記選択された支払いの種類と事前に関連付けられたＰＩＮまたは他の種類の署名など、その特定の支払いの種類用の自分のセキュリティクルデンシャルを入力するよう前記ユーザーを促し、
ｋ）前記ユーザーが、前記スクリーンエレメントの付属のキーパッドを介して前記関連のＰＩＮを入力するか、あるいは、前記スクリーンエレメント上で、自分の指またはスタイラスペンを使って自分の署名を入力するよう促されてもよく、
ｌ）最後に、前記必要とされる支払いの種類のデータ、及びその関連のＰＩＮまたは署名が、前記セキュアトランザクション装置を介して、前記選択された支払いの種類用の前記支払い処理システムに送信される、以上の工程を含む、方法。
【発明の詳細な説明】
【技術分野】
【０００１】
本発明は、携帯電話またはタブレット端末などのポータブル通信デバイスを用いてリモートセキュアトランザクションを行う装置および方法に関する。
【背景技術】
【０００２】
世界中で、電子商取引が指数関数的に増えつづけている。現在の電子商取引では、広範囲にわたる商品およびサービスの売り上げが、数十億ドルにのぼる。
【０００３】
このような多額の金銭が関わるため、犯罪者らにとっては、多岐にわたる策略を用いて自らの金銭的な利得のために顧客や事業者を悩ませ、金品を詐取するための絶好の標的となっている。
【０００４】
これと並行しているのが、フォームファクターがタブレットであるコンピューターや携帯電話などのポータブルモバイル通信デバイスの所有率の大幅な増加である。多くの人々は、ほとんどの時間、これらのうちの１つにアクセスできる状態にある。すぐに利用できるがゆえ、さらには急激に実用性が増して機能が増えているという事実がゆえに、商品やサービスを探したり、商人と顧客との間で支払いのトランザクションを開始して完了したりするのに、これらのデバイスが商取引で用いられる機会が増え続けている。
【発明の概要】
【発明が解決しようとする課題】
【０００５】
犯罪者らが顧客または商人を悩ませ、金品を詐取できる最も一般的な方法の中には、いわゆる「フィッシング」または「なりすまし」ウェブサイトを用いたものがある。このタイプの詐欺的な活動において、犯罪者は、本物のウェブサイトと見た目や振る舞いがそっくりであることの多い偽ウェブサイトを立ち上げる。その後、何も疑っていない顧客が自分のインターネットブラウザでこのなりすましウェブサイトにアクセスするが、そのサイトが、自分が取引をすることに関心を持っている実在の商人のものではないことに気づかない。このため、何も疑っていない顧客は、その詐欺的なウェブサイトを通して商品およびサービスに対するトランザクションを開始してしまうことがあり、そして往々にして遅すぎるのだが、後になって自分が詐取されたことに気づくのである。
【０００６】
もうひとつの問題は、実際には本物の商人が認めたアプリケーション（一般にアプリと呼ばれる）ではないのに、その商人のアプリと見た目や振る舞いが似ている場合があり、なおかつ銀行口座またはクレジットカードの詳細といった秘密情報または銀行預金をユーザーからだまし取ろうとする、モバイル通信デバイス用アプリの普及と関連している。
【０００７】
本発明の目的は、これらの問題の少なくともいくつかを軽減することにある。
【課題を解決するための手段】
【０００８】
したがって、本発明は、モバイル通信デバイスおよびリモートセキュアトランザクションサーバーと対話し、それらと併用するためのセキュアトランザクション装置である。モバイル通信デバイスの使用によってトランザクションを開始し、その後、セキュアトランザクション装置を用いてトランザクションを完了することが可能である。セキュアトランザクション装置は、セキュア無線通信プロトコルを用いてセキュアトランザクションサーバーとの間でデータの送受信が可能であり、セキュアトランザクション装置は、セキュアスクリーンエレメントを介してトランザクション装置のユーザーに対して安全にデータを表示することで、ユーザーがリモートトランザクションサーバーからのセキュアトランザクション情報を受信可能なようにすることができる。セキュアトランザクション装置は、安全で信頼できるトランザクションを行うことができるように、セキュア応答を承認し、入力し、リモートトランザクションサーバーに送信するための手段を含む。
【０００９】
好ましくは、セキュアトランザクション装置、モバイル通信デバイス、リモートトランザクションサーバー間の対話は、モバイル通信デバイスにインストールされるか、モバイル通信デバイスのオペレーティングシステムソフトウェアにその機能として含まれるアプリケーションによって制御される。
【００１０】
好ましくは、セキュアトランザクションデバイスは、現在行われているトランザクションに関する情報を表示するためのセキュアスクリーンエレメントを含む。
【００１１】
好ましくは、セキュアスクリーンエレメントは、セキュアトランザクションデバイスのユーザーが、セキュアスクリーンエレメント上での直接的なタッチ入力によってトランザクションを完了できるようにするタッチスクリーンである。
【００１２】
あるいは、セキュアスクリーンエレメントは、タッチ式ではないスクリーンであり、別のセキュアキーパッドが設けられて、それによってセキュアトランザクションデバイスのユーザーがキーパッドでの直接入力でトランザクションを完了できるようになっている。
【００１３】
好ましくは、セキュアトランザクション装置の少なくとも一部は、モバイル通信デバイスに取り付け可能である。
【００１４】
好ましくは、セキュアトランザクション装置の取り付け可能な部分は、モバイル通信デバイスの後面に着脱自在に取り付け可能である。
【００１５】
好ましくは、セキュアトランザクション装置の取り付け可能な部分は、モバイルインタラクティブデバイスの本来の後部カバーを代用している。
【００１６】
好ましくは、モバイル通信デバイスと一緒に提供される本来のバッテリーがセキュアトランザクション装置にも必要な電力を供給できるように、セキュアトランザクション装置の取り付け可能な部分がデバイスのバッテリーと相互に係合するための手段を含む。
【００１７】
あるいは、デバイスと一緒に提供される本来のバッテリーと交換できる予備のバッテリーが用意されており、前記予備のバッテリーは、デバイスに必要な電力を供給でき、予備のバッテリーは、セキュアトランザクション装置の取り付け可能な部分と相互に係合して、さらにセキュアトランザクション装置にも必要な電力を供給するための追加の電源コネクターを含む。
【００１８】
好ましくは、セキュアトランザクション装置の取り付け可能な部分は後部であり、セキュアトランザクション装置は、後部とヒンジ接続された前部を含み、セキュアトランザクション装置がモバイル通信デバイスに接続されると、ヒンジがモバイル通信デバイスの片側に位置し、ヒンジを軸に前部を折り曲げられることで、セキュアトランザクション装置およびモバイル通信デバイスを使用していないときに前部をモバイル通信デバイスの前側と実質的に重ねることができる。
【００１９】
好ましくは、この装置は、セキュアトランザクション装置とリモートセキュアトランザクションサーバーとの間での安全で暗号化された通信のための手段を提供する少なくとも１つの物理的かつ論理的に安全な暗号モジュールを含む。
【００２０】
好ましくは、モバイル通信デバイスにインストールされたアプリケーションは、セキュアトランザクションデバイスとモバイル通信デバイスとの間の対話を制御する。
【００２１】
任意に、アプリケーションは、セキュアトランザクションデバイス用のモバイル通信デバイスのメインディスプレイスクリーン上にキーパッドの機能を提供し、セキュアトランザクションに関する情報が、トランザクション装置のセキュアスクリーンエレメント上に表示される。
【００２２】
以下、上述したようなセキュアトランザクション装置を用いて、モバイル通信デバイスを介してセキュアトランザクションを行う方法について、説明する。この方法は、
ａ）ユーザーが、自分のモバイル通信デバイスでワールドワイドウェブをブラウズし、ユーザーがセキュアトランザクションを開始したい商品および／またはサービスを提供しているウェブサイトの場所を探し出し、
ｂ）次に、ユーザーが、ブラウザを用いてウェブサイトと対話してセキュアトランザクションの準備をし、
ｃ）トランザクションが情報の安全なやり取りを始める必要のある段階になったら、商人またはサービスプロバイダーのセキュアトランザクションサーバーが、トランザクション開始ファイルをハンドセットに直接送信するかリモートトランザクションサーバーに送信した後、リモートトランザクションサーバーが、ハンドセットとコンタクトをとり、
ｄ）ハンドセットとコンタクトがとれたら、モバイル通信デバイスにインストールされているアプリケーションが開始され、その後、アプリケーションが、セキュアトランザクション装置を起動して、トランザクションの残りの工程をセキュアトランザクション装置に引き継ぎ、
ｅ）次に、商人との対話の場合、セキュアトランザクション装置がリモートトランザクションサーバーに照会して、商人のボナファイドと支払いトランザクションの詳細を決定し、
ｆ）商人のボナファイドが、リモートセキュアトランザクションサーバーによって確認されたら、セキュアトランザクション装置が、トランザクションに関する詳細をセキュアスクリーンエレメントに表示させ、次にユーザーが、セキュアスクリーンエレメントおよびその付属のキーパッドがある場合はそれも用いて直接対話することで、自分のトランザクションを完了するよう促され、
ｇ）次に、ユーザーが、トランザクションを確認するよう促され、
ｈ）次に、セキュアトランザクション装置が、ユーザーによってモバイル通信デバイスに安全に事前に保存されていてもよい、利用できるすべての支払いの種類を受信し、次にセキュアトランザクション装置がユーザーに支払いの種類のメニューリストを与えるか、あるいはユーザーは、保存していない支払い方法を使う選択肢を提示され、
ｉ）次に、セキュアトランザクション装置が、支払いの種類を選択するためのプロンプトをユーザーに送信し、
ｊ）次に、支払いの種類が選択されたら、セキュアトランザクション装置が次に、選択された支払いの種類と事前に関連付けられたＰＩＮまたは他の種類の署名など、その特定の支払いの種類用の自分のセキュリティクルデンシャルを入力するようユーザーを促し、
ｋ）ユーザーが、セキュアスクリーンエレメントの付属のキーパッドを介して関連のＰＩＮを入力するか、あるいは、セキュアスクリーンエレメント上で、自分の指またはスタイラスペンを使って自分の署名を入力するよう促されてもよく、
ｌ）最後に、必要とされる支払いの種類のデータおよびその関連のＰＩＮまたは署名が、セキュアトランザクション装置を介して、選択された支払いの種類用の支払い処理システムに送信される、以上の工程を含む、方法。
【００２３】
好ましくは、モバイル通信デバイスは、モバイルフォン、ポータブルコンピューターまたはタブレット端末である。
【００２４】
もうひとつの好ましい実施形態において、少なくともセキュアスクリーンエレメントは、電話の本体の後部に組み込まれているため、取り外しができない。
【００２５】
本発明のもうひとつの好ましい実施形態では、セキュア電子デバイスおよびその付属のソフトウェアが、製造業者によって、デバイスの製造時にモバイル通信デバイスの電子回路およびシステムソフトウェアにそれぞれ直接、組み込まれている。
【００２６】
もうひとつの好ましい実施形態では、使用時、メインディスプレイスクリーンの少なくとも一部が、モバイル通信デバイスのメインディスプレイ上にデータ入力領域およびセキュアディスプレイ部分を提供するように、セキュア補助インタラクティブディスプレイスクリーンは、少なくとも部分的に通信デバイスのメインディスプレイスクリーンに組み込まれている。
【００２７】
好ましくは、セキュア補助インタラクティブディスプレイスクリーンは、デバイスのメインディスプレイスクリーンに組み込まれ、セキュア補助インタラクティブスクリーンが使用されていないとき、セキュア補助インタラクティブディスプレイスクリーンの表示は、モバイル通信デバイスのメインディスプレイスクリーン上の表示と途切れることなく一体化されている。
【００２８】
本発明の開示の目的で、「トランザクション」という用語の使用は、金融取引および安全な承認ならびに、医療記録の詳細または就学に関する詳細などのセキュア情報の入力と編集を含むがこれらに限定されるものではない、あらゆる種類のトランザクションを含むことに、注意されたい。
【図面の簡単な説明】
【００２９】
【図１】図１は、本発明によるセキュアトランザクション装置が取り付けられようとしているモバイル通信デバイスの分解等角投影図を示す。
【図２】図２は、セキュアトランザクションデバイスの好ましい一実施形態が取り付けられているモバイル通信デバイスならびに、追加の電源接点を有する予備のバッテリーの等角後面図を示す。
【図３】図３は、本発明によるセキュアトランザクション装置の好ましい一実施形態が取り付けられたモバイル通信デバイスの等角投影図を示す。
【図４】図４は、サービスプロバイダーと、リモートセキュアトランザクションサーバーと、本発明によるセキュアトランザクション装置との対話を示す。
【発明を実施するための形態】
【００３０】
まず図１を参照すると、セキュアトランザクション装置１の好ましい一実施形態が示されている。同図において、モバイル通信デバイス３は携帯電話である。携帯電話３の背面のカバーはすでに取り外されており、セキュアトランザクション装置１の後部１１は、個々のモバイル通信デバイスのメーカーと型式に合わせて作られている。モバイル通信デバイスの製造業者によって提供された本来のカバーはすべて取り外され、セキュアトランザクション装置１の後部１１と入れ替えられている。
【００３１】
また、本例では、予備のバッテリー１５が挿入されている。予備のバッテリーは、モバイル通信デバイス３とセキュアトランザクション装置１の両方に必要な電力を供給する。予備のバッテリー１５は、一対の補助バッテリー電源コネクター１９（図２に示す）を含む。モバイル通信デバイス３の背面に後部１１を取り付けると、バッテリーコネクターピン１７が、補助バッテリー電源コネクター１９と電気的に接触する。
【００３２】
このような本発明の好ましい実施形態では、セキュアトランザクション装置１は、ヒンジ１３によって後部１１とヒンジ接続された前部９も含むことがわかる。前部９は、その内面に、少なくともセキュアスクリーンエレメント５を含む。本実施形態では、セキュアスクリーンエレメント５はタッチスクリーンではなく、付属のキーパッド７が図示されている。
【００３３】
もうひとつの実施形態では、セキュアスクリーンエレメント５は、完全にタッチ操作が可能であるため、付属のキーパッドは必要ない。
【００３４】
図２を参照すると、セキュアトランザクション装置１の後部のピン１７と電気的に接触する補助バッテリー電源コネクター１９が示されている。
【００３５】
図３は、このような本発明の好ましい実施形態において、モバイル通信デバイス３の前面で、どのようにして前部９を開閉できるかを示している。デバイス３および装置１を使用していないとき、前部９は、モバイル通信デバイス３の前面に重なって、モバイル通信デバイス３のディスプレイとセキュアスクリーンエレメント５の両方を保護し、キーパッド７があればこれも保護する。
【００３６】
図４において、セキュアトランザクション装置１をサービスプロバイダー２１に接続するネットワークの概略が示されている。装置１をセキュアトランザクションに使用するには、商人を含むすべてのサービスプロバイダーが、最初に自分たちのクルデンシャルをセキュアトランザクションサーバー２３に登録しなければならない。
【００３７】
セキュアトランザクション装置１の使用を始めるために、ユーザーは最初に装置１をモバイル通信デバイス３に取り付ける。これによってユーザーは公式のアプリケーションを自分のモバイル通信デバイスにインストールするよう促され、このアプリケーションが、装置１を介して、ユーザーとサービスプロバイダーとの間のあらゆるセキュアトランザクションを管理することになる。
【００３８】
装置を取り付けてアプリケーションをインストールした後、ユーザーは、サービスプロバイダーとのセキュアトランザクションを開始できる。まずユーザーは、自分のモバイル通信デバイス３の標準的なブラウザを使用して、サービスプロバイダーのウェブサイトに行く。一例として、オンラインストアで買い物をしている場合、ユーザーは最初に自分の標準的なブラウザで店舗まで行き、買い物を始める。ユーザーの選ぶ品物が、そのユーザーのショッピングカートに追加される。店舗で品物を選び終わったら、あとは配送方法を選択し、商品の代金と付加料金があればそれを支払うだけになっている。店舗のウェブサイトとユーザーとのやり取りが支払いをする必要のあるところまできたら、サービスプロバイダーが直接トランザクション開始ファイルをモバイル通信デバイス３に自動送信するか、そうでなければ、サービスプロバイダーは、トランザクション開始ファイルをモバイル通信デバイス３に送信するようセキュアトランザクションサーバー２３に促す。モバイル通信デバイス３でトランザクション開始ファイルを受信すると、モバイル通信デバイス３にインストールされているアプリケーションが起動され、セキュアトランザクションの管理が開始される。
【００３９】
このアプリケーションがセキュアトランザクション装置１を起動し、セキュアトランザクション装置１は、セキュアトランザクションサーバー２３とやり取りしてサービスプロバイダーのボナファイド（bona fides）を確認する。ボナファイドが確立されたら、特定のセキュア支払いトランザクションの詳細がセキュアスクリーンエレメント５に表示される。ここで、ユーザーはトランザクションを確認するよう促される。さまざまな種類の支払い方法をユーザーがあらかじめセキュアトランザクション装置に保存しておいてもよいし、あるいは、保存していない支払い方法を使うための選択肢がユーザーに提示されてもよい。ユーザーによって支払いの種類が選択されると、ユーザーは、その特定の種類の支払いにあらかじめ関連付けられた署名またはパスワードあるいは個人識別番号（ＰＩＮ）など、当該特定の種類の支払いに対する自分のセキュリティクルデンシャルを入力するよう促される。その後ユーザーが関連のセキュリティクルデンシャルをセキュアトランザクション装置１に直接入力し、トランザクションが完了する。
【００４０】
もうひとつの例では、ユーザーは、指を使って直接あるいはスタイラスペンで、タッチ式のセキュアスクリーンエレメント５に署名をするよう求められることもあろう。
【００４１】
本発明のもうひとつの形態において、セキュアトランザクション装置１およびその付属のセキュアスクリーンエレメント５は、モバイル通信デバイス３の後面と一体化されていてもよい。
【００４２】
もうひとつの実施形態では、セキュアスクリーンエレメント５は、デバイスのメインディスプレイスクリーンの少なくとも一部と一体化されている。補助スクリーンは、起動されていないとき、その表示内容をメインスクリーンに表示されている情報と途切れることなく一体化する。起動されると、補助スクリーンは、メインディスプレイに表示されているものとは別の情報を表示する。
【００４３】
デバイスの製造時に、製造業者によって、デバイスの主電子回路の一部としてセキュリティ電子回路をインストールすることも可能である。あるいは、デバイスの製造後に、製造業者または他の承認された第三者のいずれかによって、セキュリティ装置をインストールできる可能性がある。
【００４４】
さらに他の例として、別のアプリケーションのインストールを求めるのではなく、セキュアトランザクションを制御するのに必要なソフトウェア機能を、デバイスのオペレーティングシステムソフトウェアに組み込んでもよい。
【００４５】
もうひとつの好ましい実施形態では、セキュアトランザクションサーバー２３は、たとえばオーストラリアでのパテントファミリに２０１１２０３１６５号が付与されている、発明の名称が「Secure payment system（セキュア支払いシステム）」である本発明者による対応特許の主題であるタイプのものである。このシステムは、モバイル通信デバイス上のセキュリティデバイスと通信できる状態にある公共データネットワークと、金融機関同士でメッセージを送信するのに用いられるプライベートデータネットワークと、に接続されたゲートウェイデバイスを利用し、当該セキュアデータ入力デバイスは、カード発行金融機関から発行されるカードの識別情報をユーザーが入力するための手段と、この識別情報を、公共データネットワークに乗せて安全な方法でゲートウェイデバイスに送信するための手段と、を含み、ゲートウェイデバイスは、プライベートデータネットワークで、識別情報をカード発行金融機関に送信し、かつ、このカード発行金融機関からの承認応答を受信するための手段を含み、これによって、承認応答が、カード発行金融機関による識別情報の認証となる。
【００４６】
本発明が最終的に目指すのは、通信リンクと、情報ディスプレイと、セキュアトランザクション情報を双方向に転送できるようにするデータ入力コマンドとの信頼できる連携網であって、サービスプロバイダーが本物であるか否かを決定できるとともに、サービスプロバイダーを承認してサービスプロバイダーへの支払いに特定の種類の支払いの支払い検証システムを使用する機能も有するセキュアトランザクションサーバーを含む、連携網を提供することである。
【００４７】
上記の説明は、本発明の好ましい実施形態を含むが、本発明の本質的な特徴または意図または範囲を逸脱することなく、先に説明した部品の構成および配置に対する多くの変形、変更、改変および／または追加を取り入れてもよいことは、理解できよう。
【００４８】
また、本明細書において「含む（comprise）」という単語とその活用形（「comprises」および「comprising」など）が用いられている箇所は、表記の１つ以上の特徴を含むという意味を想定しているが、文脈から他の意味が求められるのでなければ他の１つ以上の特徴の存在を排除するものとはみなされないことは、理解できよう。
【００４９】
本明細書における従来技術への参照はいずれも、自認でもなければ当該従来技術が技術常識の一部をなすことを示唆する何らかの形態でもなく、かつ、そのようなものとみなされるべきではない。
【図１】
0006596723.tif 000002
【図２】
0006596723.tif 000003
【図３】
0006596723.tif 000004
【図４】
0006596723.tif 000005